(57)【要約】【課題】  少ない消費電力で原稿サイズを判別可能とした画像読み取り装置を提供すること。【解決手段】  原稿を載置するための原稿載置台と、この原稿載置台の一方から原稿を露光するための発光半導体を光源とした露光手段と、この露光手段から出射し、原稿載置台上の原稿で反射した光を受光する読取部と、前記露光手段の少なくとも一部分を発光させ、その時の前記読取部からの出力に基づいて原稿幅を判別する幅判別手段とを有することを特徴とする。【選択図】      図３
2005094494.tif 000002
【特許請求の範囲】
【請求項１】
原稿を載置するための原稿載置台と、
この原稿載置台の一方から原稿を露光するための発光半導体を光源とした露光手段と、
この露光手段から出射し、原稿載置台上の原稿で反射した光を受光する読取部と、
前記露光手段の少なくとも一部分を発光させ、その時の前記読取部からの出力に基づいて原稿幅を判別する幅判別手段とを
有することを特徴とする画像読み取り装置。
【請求項２】
前記幅判別手段は、前記露光手段の少なくとも一部分を前記原稿載置台の一方の端部から他方の端部に向かって順次発光させ、その時の前記読取部からの出力に基づいて、原稿幅を判別することを特徴とする請求項１記載の画像読み取り装置。
【請求項３】
前記幅判別手段は、判別すべき原稿幅方向の原稿端部近傍に対応する部位を露光する前記露光手段の一部分のみを発光させ、その時の前記読取部からの出力に基づいて原稿幅を判別することを特徴とする請求項１記載の画像読み取り装置。
【請求項４】
前記原稿載置台上の原稿の有無を検知する有無検知手段をさらに有し、
前記幅判別手段は、前記有無検知手段の出力に基づき原稿幅の判別動作を開始することを特徴とする請求項１乃至請求項３のいずれか１項に記載の画像読み取り装置。
【請求項５】
前記原稿載置台上の原稿を覆う原稿カバーと、
この原稿カバーの開閉を検知する開閉検知手段とをさらに有し、
前記幅判別手段は、前記開閉検知手段の開から閉への出力に基づいて、原稿幅の判別動作を開始することを特徴とする請求項１乃至請求項３のいずれか１項に記載の画像読み取り装置。
【請求項６】
前記原稿載置台上の原稿長さを判別する長さ判別手段をさらに有し、
前記幅判別手段による原稿幅の判別結果と、前記長さ判別手段による原稿長さの判別結果に基づいて、原稿サイズを判別することを特徴とする請求項１乃至請求項５のいずれか１項に記載の画像読み取り装置。
【発明の詳細な説明】
【技術分野】
【０００１】
本発明は、例えば、画像形成装置やコンピュータのイメージ入出力装置等に用いられる画像読み取り装置に係り、特に原稿サイズを判別する画像読み取り装置に関する。
【背景技術】
【０００２】
従来の画像読み取り装置は、キセノンランプを露光手段とし、この露光手段を搭載した走査手段を原稿長さ方向に走査させる構成であり、露光手段であるキセノンランプを発光させて、原稿幅を判別する幅判別手段を備え、この幅判別手段による原稿幅の判別結果と、別に設けられた原稿長さを判別する長さ判別手段による原稿長さの判別結果に基づいて、原稿サイズを判別する技術が知られていた。（特許文献１参照）
【特許文献１】特開平１１−１５０６３４号公報（第２頁、図４）
【発明の開示】
【発明が解決しようとする課題】
【０００３】
従来の技術は、キセノンランプを露光手段とし、この露光手段を搭載した走査手段を原稿長さ方向に走査させる構成であり、露光手段であるキセノンランプを発光させて、原稿幅を判別する幅判別手段を備え、この幅判別手段による原稿幅の判別結果と、別に設けられた原稿長さを判別する長さ判別手段による原稿長さの判別結果に基づいて、原稿サイズを判別していた。しかし、露光手段としてのキセノンランプを発光させて原稿幅を判別する為に、消費電力が、極めて大きくなるという欠点があった。
【０００４】
本発明は、上記問題に鑑みなされたもので、少ない消費電力で原稿サイズを判別可能とした画像読み取り装置を提供することを目的とする。
【課題を解決するための手段】
【０００５】
上記目的を達成するために、本発明の画像読み取り装置は、原稿を載置するための原稿載置台と、この原稿載置台の一方から原稿を露光するための発光半導体を光源とした露光手段と、この露光手段から出射し、原稿載置台上の原稿で反射した光を受光する読取部と、前記露光手段の少なくとも一部分を発光させ、その時の前記読取部からの出力に基づいて原稿幅を判別する幅判別手段とを有することを特徴とする。
【発明の効果】
【０００６】
本発明によれば、従来のように、例えば、キセノンランプを使用した露光手段を利用した原稿幅の判別手段を有する画像読み取り装置と比較すると、消費電力の少ない発光半導体を光源とした露光手段を利用する為、露光手段の発光部全体を発光させて原稿幅の判別を行う制御とした場合でも、少ない消費電力で原稿サイズを判別可能である。また、この露光手段の一部分を発光させて、原稿幅の判別を行う制御とした場合は、さらに少ない消費電力で原稿サイズを判別可能とした画像読み取り装置を提供することができる。
【発明を実施するための最良の形態】
【０００７】
以下に、本発明による画像読み取り装置の実施例１を、図１乃至図６を参照して説明する。
【実施例１】
【０００８】
図１は、本発明による画像読み取り装置の実施例１を示す断面図である。図１において、画像読み取り装置のベースフレーム１４の上端には、原稿載置台１が配置され、この原稿載置台１の一端には、原稿の先端部（原稿長さ方向）を突き当てるための原稿ストッパー２が設けられている。画像読み取り装置のベースフレーム１４の内部には、原稿を露光する露光手段としてのＬＥＤアレイ３及び第１ミラー４を搭載した第１キャリッジ５と、この第１キャリッジ５からの反射光を受ける第２ミラー６、第３ミラー７を搭載した第２キャリッジ８が設けられている。また、画像読み取り装置のベースフレーム１４の内部には、第２キャリッジ８から反射光を受け、像を結像するレンズ９と、このレンズ９の一方に配置された読取部であるＣＣＤ１０と、ＣＣＤ１０から出力されたアナログ信号をデジタル信号に変換する画像処理部１１が設けられている。
【０００９】
図１乃至図３に示すように、原稿Ｐは、原稿長さ方向の先端部を、原稿載置台１上の原稿ストッパー２の原稿長さ方向基準位置（図３）に突き当てられ、かつ原稿幅方向の一端部を原稿幅方向基準位置（図３）に突き当てられた状態で、原稿載置台１に載置されている。ここで、原稿の幅方向において、原稿幅方向基準位置（図３）側を画像読み取り装置のリヤ側とし、その逆側を画像読み取り装置のフロント側と定義する。露光手段は、例えば、露光光源として用いる発光半導体としてＬＥＤを採用し、複数のＬＥＤを並置した構成のＬＥＤアレイ３である。従って、この露光手段であるＬＥＤアレイ３は、その一部分のＬＥＤだけを発光させることが容易に出来る。すなわち、この露光手段は、露光手段の一部分だけを発光させることが容易に出来る構成である。露光手段であるＬＥＤアレイ３から出射した光は、透明ガラス製の原稿載置台１を透過し、原稿載置台１上の原稿で反射する。この反射光は、第１ミラー４、第２ミラー６、第３ミラー７の反射面で、各々反射することによってレンズ９を通過し、レンズ９の一方に配置されたＣＣＤ１０によって、読み取られる構成である。このＣＣＤ１０は、原稿からの反射光を読み取り、アナログ信号に光電変換し出力する。この光電変換されたアナログ信号は、画像処理部１１においてデジタル信号に変換されて、画像データの処理が行われる。原稿の有無検知手段としての原稿有無センサ１２は、画像読み取り装置のベースフレーム１４に取付けられて、原稿載置台１上のＧ部（図３）である検知位置において、原稿の有無を出力する。
尚、Ｇ部は、原稿載置台１上において、最小サイズ（例えば、名刺サイズ）の原稿の有無を検知できる位置である。
【００１０】
露光手段であるＬＥＤアレイ３及び第１ミラー４を搭載した第１キャリッジ５は、原稿サイズ判別が開始される前に、画像読み取り装置の電源投入後のイニシャライズによって、制御部１５でコントロールされる初期位置にあらかじめ、移動している。この初期位置は、原稿ストッパー２の原稿先端基準位置（図３）から、原稿長さ方向の原稿後端側に向かって、例えば、約４０ｍｍの位置に設定されている。図２において、原稿サイズを判別する原稿サイズ判別プログラムは、ＲＯＭ１６の内部に記憶されており、制御部１５は、画像読み取り装置の電源投入直後から、ＲＯＭ１６内の原稿サイズ判別プログラムを動作させ、原稿の有無検知手段としての原稿有無センサ１２から原稿有無の出力を受け、原稿載置台１上の原稿Ｐの有無を判断している。制御部１５は、原稿有無センサ１２から原稿有の出力を受けた時、露光手段であるＬＥＤアレイ３を制御するステップに移行する。すなわち、原稿有無センサ１２の出力に基づき、制御部１５は、原稿サイズの判別を開始する。原稿サイズの規格も国や地域により異なるが、例えば、日本工業規格で定められている用紙サイズ（原稿サイズ）はＡ３、Ａ４、Ａ４Ｒ、Ａ５Ｒ、Ｂ４、Ｂ５、Ｂ５Ｒ等である。また日本では一般的に用いられる、はがき（１００ｍｍ×１４８ｍｍ）や名刺（５５ｍｍ×９１ｍｍ）も原稿として扱われる。図２乃至図５に示すように、本発明は、例えば、原稿載置台上に載置されたＡ３、Ａ４、Ａ４Ｒ、Ａ５Ｒ、Ｂ４、Ｂ５、Ｂ５Ｒ、はがき、名刺の原稿サイズの判別を以下のように行う。
【００１１】
図５は、本発明の実施例１に係る原稿サイズ判別プログラムのフローチャートである。以下、図５のフローチャートを参照しながら、説明を進める。
【００１２】
制御部１５は、画像読み取り装置の電源投入直後から、原稿サイズ判別プログラムを動作させ、原稿有無センサ１２からの原稿有無の出力を常に監視し、この原稿有無センサ１２から原稿有の出力を受けた時から、原稿サイズの判別を開始し、次のステップに移行する（Ｆ１）。原稿サイズ判別プログラムには、露光手段であるＬＥＤアレイ３を構成するＬＥＤのＬＥＤ番号が記憶されている。このＬＥＤ番号は、画像読み取り装置のフロント側から順にＬ（１）、Ｌ（２）、Ｌ（３）．．．．Ｌ（ｎ−２）、Ｌ（ｎ−１）、Ｌ（ｎ）という番号が付与されている。
【００１３】
原稿有無センサ１２から原稿有の出力を受けた後、制御部１５は、ＬＥＤアレイ３を構成するＬＥＤのＬＥＤ番号Ｌ（１）、Ｌ（２）、Ｌ（３）．．．．Ｌ（ｎ−２）、Ｌ（ｎ−１）、Ｌ（ｎ）の順に、順次所定時間（ｔ）の間、発光させる。すなわち、制御部１５は、ＬＥＤアレイ３を構成する露光光源であるＬＥＤを順次発光開始する（Ｆ２）。この動作によって、図３に示すように、ＬＥＤ番号Ｌ（１）、Ｌ（２）、Ｌ（３）．．．．Ｌ（ｎ−２）、Ｌ（ｎ−１）、Ｌ（ｎ）に対応した原稿載置台上の位置、Ａ（１）、Ａ（２）、Ａ（３）．．．．Ａ（ｎ−２）、Ａ（ｎ−１）、Ａ（ｎ）部が順次露光される。制御部１５は、ＬＥＤアレイ３のＬＥＤを画像読み取り装置のフロント側からＬＥＤ番号Ｌ（１）、Ｌ（２）、Ｌ（３）．．．．Ｌ（ｎ−２）、Ｌ（ｎ−１）、Ｌ（ｎ）の順に、順次所定時間（ｔ）の間、発光させる度に、発光させたＬＥＤ番号を記憶している。この時に、ＬＥＤアレイ３のうちＬ（１）、Ｌ（２）、Ｌ（３）．．．．Ｌ（ｎ−２）、Ｌ（ｎ−１）、Ｌ（ｎ）に対応した原稿載置台上の位置（図３）、Ａ（１）、Ａ（２）、Ａ（３）．．．．Ａ（ｎ−２）、Ａ（ｎ−１）、Ａ（ｎ）部において原稿端部が順次露光されることになる。すなわち、ＬＥＤ番号Ｌ（１）が発光した時に、判別可能な領域はＡ（１）であり、同じく、Ｌ（ｎ）が発光した時に、判別可能な領域はＡ（ｎ）である。
【００１４】
ＬＥＤアレイ３の発光は、最初のＬＥＤ番号Ｌ（１）に対応したＬＥＤから、原稿幅の一端部を判別するに至るまで、あるいは、原稿幅判別のために、最終のＬＥＤ番号Ｌ（ｎ）に対応したＬＥＤが発光するに至るまで行われる。そして、原稿が原稿載置台上に存在する時は、第１ミラー４、第２ミラー６、第３ミラー７の反射面で、各々反射された反射光は、レンズ９を通過し、レンズ９の一方に配置されたＣＣＤ１０を照射する。
【００１５】
この反射光を受光したＣＣＤ１０から出力されたアナログ信号は、画像処理部１１でデジタル信号に変換され、Ｈｉｇｈレベル（以下Ｈレベルと呼ぶ）又は、Ｌｏｗレベル（以下Ｌレベルと呼ぶ）どちらかの出力値となる。制御部１５は、このデジタル信号がＬの場合は、原稿が、原稿載置台上に無い状態と認識し、このデジタル信号がＨレベルの場合は、原稿が、原稿載置台上にある状態と認識する（Ｆ３）。
【００１６】
従って制御部１５は、画像処理部１１の信号のＬレベルからＨレベルへの変化を認識した時に、その時点で最後に発光したＬＥＤ番号の値と図６のデータテーブルに格納されたＬＥＤ番号（４以下、７以下、．．．．、２５以下、３０以下）の内容と比較し、該当する原稿幅（または、図６に示すように、原稿幅サイズと呼ぶ）を判別する。具体的には、原稿幅の判別を以下のように行う。
【００１７】
制御部１５は、画像処理部１１の出力値のＬレベルからＨレベルへの変化を認識した時に、直後に発光させたＬＥＤ番号を記憶しており、例えば、記憶したＬＥＤ番号がＬ（４）であった場合、図６のデータテーブルのＬＥＤ番号範囲と比較し、Ｌ（４）以下である為、Ａ４またはＡ３の原稿幅と判断する。逆に、この時点で制御部１５が、画像処理部１１の信号のＬレベルからＨレベルへの変化を認識しない場合は、ＬＥＤ番号がＬ（４）以下であるタイミング（ＴＭ１と呼ぶ）は過ぎたことになる。すなわち、このタイミング（ＴＭ１）より後に、制御部１５が、画像処理部１１の出力値のＬレベルからＨレベルへの変化を認識すれば、判別される原稿幅は、Ａ４またはＡ３の原稿幅よりも狭いことになる。
【００１８】
従って、制御部１５が、前述のタイミング（ＴＭ１）より後に、画像処理部１１の信号のＬレベルからＨレベルへの変化を認識し、その直後に発光させたＬＥＤ番号と図６のデータテーブルのＬＥＤ番号範囲を比較し、記憶したＬＥＤ番号がＬ（７）以下であれば、Ｂ５またはＢ４の原稿幅と判断し、同様に、ＬＥＤ番号がＬ（１２）以下であれば、Ａ４Ｒ、ＬＥＤ番号がＬ（１５）以下であれば、Ｂ５Ｒ、ＬＥＤ番号がＬ（２０）以下であれば、Ａ５Ｒ、ＬＥＤ番号がＬ（２５）以下であれば、はがき、ＬＥＤ番号がＬ（３０）以下であれば名刺の原稿幅であると判別する（Ｆ４）。制御部１５は、原稿幅の判別動作が終了した直後に、ＬＥＤアレイ３を構成する露光光源であるＬＥＤを発光停止（消灯）する。（Ｆ５）。
【００１９】
原稿幅の判別をすることによって、原稿サイズを決定できる原稿は、Ａ４Ｒ、Ｂ５Ｒ、Ａ５Ｒ、はがき、名刺である。これらの原稿は、次に原稿長さ方向を判別する動作を行う必要はなく、この時点で原稿サイズを決定し、原稿判別プログラムを終了することができる。
【００２０】
一方、同じ原稿幅サイズで長さの異なる原稿、Ａ４とＡ３、あるいはＢ５とＢ４の場合、図３に示すＨ部において、原稿長さを判別する。読み取り装置ベースフレーム１４には、Ｈ部において、原稿長さを判別する長さ判別手段として１個の原稿長さ判別センサ１３（図１）が配置されている。この原稿長さ判別センサ１３の出力に基づいて、原稿長さを判別する。例えば、同じ原稿幅サイズであるＡ４とＡ３の判別は、原稿長さ判別センサ１３の出力がＨレベルならばＡ３と判別し、Ｌレベルならば、Ａ４と判別する。同様に、Ｂ５とＢ４の判別は、原稿長さ判別センサ１３の出力がＨレベルならばＢ４と判別し、Ｌレベルならば、Ｂ５と判別する（Ｆ６）。このように、原稿の幅判別手段による原稿幅の判別結果と、原稿の長さ判別手段による原稿長さの判別結果に基づいて、原稿サイズを判別することができる（Ｆ７）。
【００２１】
なお、上述の実施例１では、制御部１５は、ＬＥＤアレイ３を構成するＬＥＤの発光順をＬ（１）からＬ（ｎ）まで順次発光するようにしたが、原稿幅の判別動作が終了した直後に、露光光源消灯を実行し、その後の発光制御は省略するため、少ない消費電力で原稿サイズを判別することができる。
【００２２】
またＬ（１）からＬ（ｎ）までのＬＥＤアレイ３の内、明らかに、原稿幅方向の原稿端部近傍でない部分を露光する一部分は制御上、順次発光動作から除外しておく構成としてもよい。このような構成にすれば、さらに少ない消費電力で原稿サイズを判別することができる。
【００２３】
さらに、上述の実施例１では、原稿サイズ判別プログラムは、図２に示すように、ＲＯＭ１６の内部に記憶され、原稿有無センサ１２から原稿有の出力を受けた時に露光手段であるＬＥＤ３を制御するステップに移行するが、この原稿有無センサ１２を省略し、その代用として、図１０に示すような、原稿カバー１７の開閉検知手段としての開閉検知センサ１８を設け、この開閉検知センサ１８の開から閉への出力に基づいて、原稿サイズ判別プログラムは、上述のように、ＬＥＤアレイ３を制御するステップに移行する構成としてもよい。
【００２４】
なお、原稿載置台上の原稿を覆う原稿カバー１７を使用せず、原稿カバー１７の代わりに原稿を覆う機能を有する自動原稿送り装置を装備した構成としてもよいことは、もちろんである。
【００２５】
以上のような構成で、原稿の幅判別手段による原稿幅の判別結果と、原稿の長さ判別手段による原稿長さの判別結果に基づいて、原稿サイズを判別し、少ない消費電力で原稿サイズを判別可能とした画像読み取り装置を提供することができる。
【実施例２】
【００２６】
次に、本発明の実施例２に係る画像読み取り装置について説明する。この実施例２の各部について、図１及び図２の実施例１の画像読み取り装置の各部と同一部分は同一符号で示し、その説明を省略する。この実施例２は、原稿幅を判別する時に、ＬＥＤアレイ３の判別すべき原稿幅方向の原稿端部近傍に対応する部位を露光するＬＥＤのみを発光させ、それ以外のＬＥＤは発光させない構成とした原稿サイズの判別技術である。
【００２７】
すなわち、図７に示すように、原稿サイズ判別領域、Ａ（２）、Ａ（３）．．．．Ａ（２８）、Ａ（２９）を露光するＬＥＤは、ＬＥＤ番号Ｌ（２）、Ｌ（３）．．．．Ｌ（２８）、Ｌ（２９）である。これらのＬ（２）、Ｌ（３）．．．．Ｌ（２８）、Ｌ（２９）のＬＥＤを発光させてＡ３、Ａ４、Ａ４Ｒ、Ａ５Ｒ、Ｂ４、Ｂ５、Ｂ５Ｒ、はがき、名刺の原稿サイズを判別する技術である。
【００２８】
これらのＬ（２）、Ｌ（３）．．．．Ｌ（２８）、Ｌ（２９）のＬＥＤの発光は、一斉に行われる。例として、図７に示すような原稿サイズ判別領域のＬ（２）、Ｌ（３）．．．．Ｌ（２８）、Ｌ（２９）Ａ４またはＡ３の原稿サイズにおいて、その原稿幅に対応したＣＣＤ１０の出力を基に得られた画像処理部１１の出力波形を図８に示す。
【００２９】
この図８に示す出力波形はＨレベルへの信号の部分に原稿が有ることを示しているが、ＬレベルからＨレベルへの信号の立ち上がり回数をカウントすれば、原稿幅（原稿幅サイズ）を判別することができる。そして、信号の立ち上がり回数に基づいて判別できる原稿幅サイズを示したものが、図９のデータテーブルである。
【００３０】
制御部１５は、この画像処理部１１の出力を取り込み、ＬレベルからＨレベルへ信号の立ち上がり回数をカウントし、この値に対応した図９のデータテーブルを参照することによって、原稿幅サイズの判別を行うことができる。
【００３１】
例えば、信号の立ち上がり回数が７であれば、原稿幅はＡ４または、Ａ３であると判断し、６であれば、Ｂ５または、Ｂ４と判断する。以下、この信号の立ち上がり回数が５ならばＡ４Ｒ、４ならば、Ｂ５Ｒ、３ならば、Ａ５Ｒ、２ならば、はがき、１ならば名刺の原稿幅サイズであると判断する。
【００３２】
原稿幅の判別の結果から、原稿サイズを判別できる原稿は、Ａ４Ｒ、Ｂ５Ｒ、Ａ５Ｒ、はがき、名刺である。これらの原稿は、次に原稿長さを判別する動作を行う必要はなく、この時点で原稿サイズを決定し、原稿判別プログラムを終了することができる。例えば、Ａ４とＡ３のように同じ原稿幅で長さの異なる原稿の場合は、実施例１と同様に次に、具体的に原稿長さの判別を以下のように行う。同じ原稿幅サイズで長さの異なる原稿、Ａ４とＡ３、あるいはＢ５とＢ４の場合、図３に示すＨ部において、原稿長さを判別する。読み取り装置ベースフレーム１４には、Ｈ部において、原稿長さを判別する長さ判別手段として１個の原稿長さ判別センサ１３（図１）が配置されている。この原稿長さ判別センサ１３の出力に基づいて、原稿長さを判別する。例えば、同じ原稿幅サイズであるＡ４とＡ３の判別は、原稿長さ判別センサ１３の出力がＨレベルならばＡ３と判別し、Ｌレベルならば、Ａ４と判別する。同様に、Ｂ５とＢ４の判別は、原稿長さ判別センサ１３の出力がＨレベルならばＢ４と判別し、Ｌレベルならば、Ｂ５と判別する。このように、原稿の幅判別手段による原稿幅の判別結果と、原稿の長さ判別手段による原稿長さの判別結果に基づいて、原稿サイズを判別することができる。
【００３３】
本発明は、このような、制御に限定されず、例えば、露光手段であるＬＥＤアレイ３の発光部全体を一斉に発光させ、原稿幅を判別する構成も含む。この構成であっても、従来のように、キセノンランプを使用した露光手段を利用した原稿幅の判別手段を有する画像読み取り装置と比較すると、消費電力の少ない発光半導体を光源とした露光手段を利用する為、少ない消費電力で原稿サイズを判別可能である。
【００３４】
なお、実施例１及び２において、露光手段の露光光源である発光半導体は、ＬＥＤとしたが、発光半導体は、エレクトロルミネッセンス（ＥＬ）、液晶、及びその他の発光制御可能な半導体であればよい。また、露光手段の露光光源である発光半導体は、複数で露光手段を構成してもよいし、単品（１個）で露光手段を構成してもよい。すなわち、構成する発光半導体の種類や発光半導体の単数、複数に限定はなく、発光部全体、又は一部分のみ発光させることが可能な、発光半導体を光源とした露光手段であれば、よいことは、もちろんである。
【図面の簡単な説明】
【００３５】
【図１】本発明の実施例１に係る画像読み取り装置の断面図。
【図２】本発明の実施例１に係る画像読み取り装置の制御系を示すブロック図。
【図３】本発明の実施例１に係る原稿載置台上の原稿幅判別位置を示す図。
【図４】本発明の実施例１に係る露光手段のタイムチャート。
【図５】本発明の実施例１に係る原稿サイズを判別するための制御のフローチャート。
【図６】本発明の実施例１に係るデータテーブル。
【図７】本発明の実施例２に係る判別すべき原稿幅方向の原稿端部近傍の位置を示す図。
【図８】本発明の実施例２に係るＣＣＤの出力に基づく画像処理部１１からの出力波形を示す図。
【図９】本発明の実施例２に係るデータテーブル。
【図１０】本発明の実施例２に係るデータテーブル。
【符号の説明】
【００３６】
１    原稿載置台
２    原稿ストッパー
３    ＬＥＤアレイ（露光手段）
４    第１ミラー
５    第１キャリッジ
６    第２ミラー
７    第３ミラー
８    第２キャリッジ
９    レンズ
１０  ＣＣＤセンサ
１１  画像処理部
１２  原稿有無センサ（有無検知手段）
１３  原稿長さ判別センサ（長さ判別手段）
１４  ベースフレーム
１５  制御部
１６  ＲＯＭ
１７  原稿カバー
１８  開閉検知センサ（開閉検知手段）
【図１】
2005094494.tif 000003
【図２】
2005094494.tif 000004
【図３】
2005094494.tif 000005
【図４】
2005094494.tif 000006
【図５】
2005094494.tif 000007
【図６】
2005094494.tif 000008
【図７】
2005094494.tif 000009
【図８】
2005094494.tif 000010
【図９】
2005094494.tif 000011
【図１０】
2005094494.tif 000012